(57)【特許請求の範囲】
【請求項１】
アングル状の目地部を介して設けられた内側床躯体の目地部側に形成された角部が台形状の上部輪郭形状の目地プレート支持凹部と、この目地プレート支持凹部と対応する部位の外側床躯体の目地部側に形成された角部が台形状の上部輪郭形状の反目地部側が傾斜面の目地プレートスライド支持凹部と、前記角部の目地プレート支持凹部にピンで先端部が上方へ回動可能に支持され、先端部が角部の目地プレートスライド支持凹部を覆うように支持された角部目地プレートと、この角部目地プレートの両側面と一側面が当接するように形成された前記目地プレート支持凹部にピンで先端部が上方へ回動可能に支持され、先端部が前記目地プレートスライド支持凹部を覆うように支持された他側面が上下辺と直角な台形状の左右の目地プレートと、この左右の目地プレートの先端部側の一側面に取付けられた、前記角部目地プレートの両側面と当接するようにスプリングを介して接続する左右の目地プレート接続具とからなることを特徴とする床用目地装置。
【請求項２】
角部目地プレートの両側面と当接する左右の目地プレートの一側面は上面が当接し、下面に隙間が生じるように該角部目地プレートの両側面、左右の目地プレートの一側面あるいは角部目地プレートの両側面と左右の目地プレートの一側面を傾斜面に形成するとともに、角部目地プレートと左右の目地プレートは上下移動可能にスプリングを介して接続する左右の目地プレート接続具とを設けたことを特徴とする請求項１記載の床用目地装置。
【発明の詳細な説明】
【技術分野】
【０００１】
本発明はアングル状の目地部を介して設置された左右の床躯体間の目地部を覆う床用目地装置に関する。
【背景技術】
【０００２】
従来のアングル状の目地部のコーナー部には長方形状の目地プレートを配置したり、コーナー部に位置する目地プレートの一側部が当接するように突出する台形状に形成したものが使用されている。
【０００３】
このため、左右の床躯体が異なる方向に揺れ動いた場合、前者はコーナー部の目地プレートは1本のピンで支持しているため、無理な荷重が加わり、損傷しやすいという欠点があった。
後者はコーナー部の目地プレートは当接する一側部の先端部が三角形状となり、突出すると危険になるとともに、該先端部が三角形状になっているため、損傷しやすいという欠点があった。
【特許文献１】特許第３６６２１７２号
【発明の開示】
【発明が解決しようとする課題】
【０００４】
本発明は以上のような従来の欠点に鑑み、アングル状の目地部でも角部目地プレートに無理な荷重が加わるのを防止できるとともに、安全に使用することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はアングル状の目地部を介して設けられた内側床躯体の目地部側に形成された角部が台形状の上部輪郭形状の目地プレート支持凹部と、この目地プレート支持凹部と対応する部位の外側床躯体の目地部側に形成された角部が台形状の上部輪郭形状の反目地部側が傾斜面の目地プレートスライド支持凹部と、前記角部の目地プレート支持凹部にピンで先端部が上方へ回動可能に支持され、先端部が角部の目地プレートスライド支持凹部を覆うように支持された角部目地プレートと、この角部目地プレートの両側面と一側面が当接するように形成された前記目地プレート支持凹部にピンで先端部が上方へ回動可能に支持され、先端部が前記目地プレートスライド支持凹部を覆うように支持された他側面が上下辺と直角な台形状の左右の目地プレートと、この左右の目地プレートの先端部側の一側面に取付けられた、前記角部目地プレートの両側面と当接するようにスプリングを介して接続する左右の目地プレート接続具とで床用目地装置を構成している。
【発明の効果】
【０００７】
以上の説明から明らかなように、本発明にあっては次に列挙する効果が得られる。
【０００８】
（１）アングル状の目地部を介して設けられた内側床躯体の目地部側に形成された角部が台形状の上部輪郭形状の目地プレート支持凹部と、この目地プレート支持凹部と対応する部位の外側床躯体の目地部側に形成された角部が台形状の上部輪郭形状の反目地部側が傾斜面の目地プレートスライド支持凹部と、前記角部の目地プレート支持凹部にピンで先端部が上方へ回動可能に支持され、先端部が角部の目地プレートスライド支持凹部を覆うように支持された角部目地プレートと、この角部目地プレートの両側面と一側面が当接するように形成された前記目地プレート支持凹部にピンで先端部が上方へ回動可能に支持され、先端部が前記目地プレートスライド支持凹部を覆うように支持された他側面が上下辺と直角な台形状の左右の目地プレートと、この左右の目地プレートの先端部側の一側面に取付けられた、前記角部目地プレートの両側面と当接するようにスプリングを介して接続する左右の目地プレート接続具とで構成されているので、角部目地プレートによって、この角部目地プレートの両側部に配置される左右の目地プレートが大きくなるのを防止し、先端部が突出して危険になるのを防止することができる。
【０００９】
（２）前記（１）により、角部目地プレートの先端部の幅寸法を大きく設定しなくてもよいので、後端部のピンで容易に支持することができる。
【００１０】
（３）前記（１）によって、角部目地プレートと、この角部目地プレートの両端部の左右の目地プレートとをスプリングを介装した左右の目地プレート接続具で接続しているので、左右の目地プレートと角部目地プレートとがほぼ一体状態で移動し、損傷を効率よく防止するとともに、後端部が突出して危険となったりするのを確実に阻止することができる。
【００１１】
（４）前記（１）によって、角部目地プレートにより、左右の目地プレートが大きくなるのを防止できる。したがって、目地プレートを軽くでき、設置作業を容易に行なうことができる。
【００１２】
（５）請求項２も前記（１）〜（４）と同様な効果が得られるとともに、地震時に角部目地プレートをよりスムーズに移動させることができる。
【発明を実施するための最良の形態】
【００１３】
以下、図面に示す本発明を実施するための最良の形態により、本発明を詳細に説明する。
【００１４】
図１ないし図１１に示す本発明を実施するための最良の第１の形態において、１はアングル状の目地部2を介して設けられた左右の床躯体３、4間を接続する床用目地装置で、この床用目地装置1は前記左右の床躯体３、4の内側に位置する床躯体３の目地部２側に形成された角部が台形状の上部輪郭形状の目地プレート支持凹部５と、この目地プレート支持凹部５と対応する部位の外側に位置する床躯体４の目地部２側に形成された角部が台形状の下部輪郭形状の反目地部側が傾斜面６の目地プレートスライド支持凹部７と、前記角部、すなわち台形状の上部辺部位の目地プレート支持凹部５ａにピン８で先端部が上方へ回動可能に支持され、先端部が角部の目地プレートスライド支持凹部７ａを覆うように支持された先端部が傾斜面９に形成された角部目地プレート１０と、この角部目地プレート１０の両側面と一側面が当接するように形成された、前記目地プレート支持凹部５に両端部寄りの部位がピン８、８で先端部が上方へ回動可能に支持され、先端部が前記目地プレートスライド支持凹部７を覆うように支持された先端部が傾斜面９で、他側面が上下辺と直角な台形状の左右の目地プレート１１、１２と、この左右の目地プレート１１、１２の先端部側の一側面に取付けられた、前記角部目地プレート１０の両側面１０ａ、１０ａと当接するようにスプリング１３を介して接続する左右の目地プレート接続具１４、１４と、前記左右の目地プレート１１、１２の他側面側の目地部を覆うように並列された前記目地プレート支持凹部５に両端部寄りの部位がピン８、８で先端部が上方へ回動可能に支持され、先端部が前記目地プレートスライド支持凹部７を覆うように支持された先端部が傾斜面９の長方形状の複数個の目地プレート１５、１５とで構成されている。
なお、前記目地プレート支持凹部５および前記目地プレートスライド支持凹部７を必要に応じてそれぞれ金属材製の下地板で覆ってもよい。
【００１５】
前記左右の目地プレート接続具１４、１４は左右の目地プレート１１、１２の先端部側の一側面に形成されたボルト挿入孔１６、１６と、このボルト挿入孔１６、１６と対応する部位の前記角部目地プレート１０の両側面に形成されたボルト挿入孔１７、１７と、このボルト挿入孔１７、１７と前記ボルト挿入孔１６、１６へ挿入されるボルト１８、１８と、このボルト１８、１８の先端部にスプリング１３、１３、座金１９、１９を介して螺合されるナット２０、２０と、このナット２０、２０、前記スプリング１３、１３、座金１９、１９を覆うように、前記角部目地プレート１０に取付けられたスプリングケース２１、２１とで構成されている。
【００１６】
前記角部目地プレート１０は図７に示すように金属材製の浅皿状で、後端部が前記目地プレート支持凹部５ａの角部の台形状の上部辺とほぼ同じ幅寸法で、先端部が目地プレートスライド支持凹部７ａの角部の台形状の下部辺とほぼ同じ幅寸法の角部目地プレート本体２２と、この角部目地プレート本体２２の後端部の中央部に設けられたピン支持ケース２３と、前記角部目地プレート本体２２の先端部寄りの両側面に取付けられたスプリングケース２１、２１と、前記角部目地プレート本体２２内に充填されたモルタル２４と、このモルタル２４の表面に設置されたタイル等の床化粧板２５とで構成されている。
【００１７】
前記左右の目地プレート１１、１２は図８に示すように、前記角部目地プレート１０側が傾斜面２６、２７で、反対側が上下辺に対して直角な金属材製で浅皿
状の台形状の左右の目地プレート本体２８、２９と、この左右の目地プレート本体２８、２９の前記角部目地プレート１０のボルト挿入孔１７、１７と対応する部位に形成されたボルト挿入孔１６、１６と、前記左右の目地プレート本体２８、２９の両側後部に設けられたピン支持ケース２３、２３と、前記左右の目地プレート本体２８、２９内に充填されたモルタル２４、２４と、このモルタル２４、２４の表面に設置されたタイル等の床化粧板２５、２５とで構成されている。
【００１８】
前記複数個の目地プレート１５は図９に示すように、長方形で浅皿状の金属材製の目地プレート本体３０と、この目地プレート本体３０の両側後部に設けられたピン支持ケース２３、２３と、前記目地プレート本体３０内に充填されたモルタル２４と、このモルタル２４の表面に設置したタイル等の床化粧板２５とで構成されている。
【００１９】
上記構成の床用目地装置１は通常時には図１および図２に示すように、アングル状の目地部２を角部目地プレート１０、左右の目地プレート１１、１２、複数個の目地プレート１５で、隙間なく、覆われている。
地震等で左右の床躯体３、４が異なる前後左右方向に揺れ動いた場合、内側に位置する床躯体３の目地プレート支持凹部５に角部目地プレート１０、左右の目地プレート１１、１２、複数個の目地プレート１５がピン８、８、８、８、８で支持されているため、目地部２の左右方向Ｘの揺れ動き側は図１１に示すように、角部目地プレート１０、左右の目地プレート１１、１２、複数個の目地プレート１５の先端部は目地プレートスライド支持凹部７上を左右方向にスライド移動して、外方へ突出してその揺れ動きを吸収し、目地部２の前後方向Ｙの揺れ動き側は図１０に示すように、角部目地プレート１０、左右の目地プレート１１、１２、複数個の目地プレート１５の先端部は目地プレートスライド支持凹部７を前後方向にスライド移動して、その揺れ動きを吸収する。
【００２０】
この角部目地プレート１０、左右の目地プレート１１、１２および複数個の目地プレート１５の前後左右方向の揺れ動き時には、左右の目地プレート１１、１２と角部目地プレート１０がスプリング１３を介して接続する左右の目地プレート接続具１４、１４で接続されているため、左右の目地プレート１１、１２と角部目地プレート１０とがほぼ一体となって移動する。
なお、角部目地プレート１０の移動時は、該角部目地プレート１０の一側部側あるいは他側部側が目地プレートスライド支持凹部７の傾斜面６によって高くなるが、左右の目地プレート接続具１４、１４の伸長によって、角部目地プレート１０と左右の目地プレート１１、１２が元の状態へ戻るような移動が可能で、その揺れ動きを安全に吸収することができる。
[発明を実施するための異なる形態]
【００２１】
次に、図１２ないし図２３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図１２ないし図１５に示す本発明を実施するための第２の形態において、前記本発明を実施するための最良の第１の形態と主に異なる点は、角部目地プレート１０、左右の目地プレート１１、１２、複数個の目地プレート１５の先端部にヒンジ部材３１、３１、３１、３１を介して先端部が上下方向へ回動可能なカバープレート３２、３２、３２、３２を取付けた点で、このようなカバープレート３２、３２、３２、３２が取付けられた角部目地プレート１０、左右の目地プレート１１、１２、複数個の目地プレート１５を用いて構成した床用目地装置１Ａにしても、より安全に使用できるとともに、前記本発明を実施するための最良の第１の形態と同様な作用効果が得られる。
【００２３】
図１６ないし図１９に示す本発明を実施するための第３の形態において、前記本発明を実施するための最良の第１の形態と主に異なる点は、先端部に傾斜面が形成されていない角部目地プレート１０Ａ、左右の目地プレート１１Ａ、１２Ａおよび複数個の目地プレート１５Ａを用いるとともに、それぞれの先端部にヒンジ部材３１、３１、３１、３１を介して、先端部が上下方向に回動可能なカバープレート３２、３２、３２、３２を取付けた点で、このようなカバープレート３２、３２、３２、３２を用いた角部目地プレート１０Ａ、左右の目地プレート１１Ａ、１２Ａ、複数個の目地プレート１５Ａを用いて構成した床用目地装置１Ｂにしても、前記本発明を実施するための最良の第１の形態と同様な作用効果が得られる。
【００２４】
図２０ないし図２３に示す本発明を実施するための第４の形態において、前記本発明を実施するための最良の第１の形態と主に異なる点は、両側面を下部が内側に位置する傾斜面に形成した角部目地プレート１０Ｂと、この角部目地プレート１０Ｂの両側面側の一側面を下部が内側に位置する傾斜面に形成した左右の目地プレート１１Ｂ、１２Ｂと、角部目地プレート１０Ｂの先端部寄りの両側面およびこれと対応する部位の左右の目地プレート１１Ｂ、１２Ｂの一側面に上下方向に長いボルト挿入孔１６Ａ、１７Ａを形成し、このボルト挿入孔１６Ａ、１７Ａに挿入されるボルト１８Ａの頭部１８ａと角部目地プレート１０Ｂの側面間および、ボルト１８Ａの先端部に座金１９を介して螺合されたナット２０の座金１９と左右の目地プレート１１Ｂ、１２Ｂの一側面との間に介装されたスプリング１３、１３および、これらのボルト１８Ａ、スプリング１３、１３等を覆うスプリングケース２１、２１とからなる目地プレート接続具１４Ａとを用いた点で、このように構成した床用目地装置１Ｃにしても、前記本発明を実施するための最良の第１の形態と同様な作用効果が得られるとともに、地震時に角部目地プレート１０Ｂの上下移動を伴い移動をよりスムーズに行うことができる。
なお、角部目地プレート１０Ｂおよび左右の目地プレート１１Ｂ、１２Ｂの当接面は両面が傾斜面に形成することなく、角部目地プレートの両側面だけ、左右の目地プレートの一側面だけを傾斜面に形成しても同様な効果が得られる。
【産業上の利用可能性】
【００２５】
本発明は床用目地装置を製造する産業で利用される。
【図面の簡単な説明】
【００２６】
【図１】本発明を実施するための最良の第１の形態の平面図。
【図２】図１の２−２線に沿う断面図。
【図３】図１の３−３線に沿う断面図。
【図４】図１の４−４線に沿う断面図。
【図５】図１の５−５線に沿う拡大断面図。
【図６】目地プレート支持凹部および目地プレートスライド支持凹部の説明図。
【図７】本発明を実施するための最良の第１の形態の角部目地プレートの説明図。
【図８】本発明を実施するための最良の第１の形態の左右の目地プレートの説明図。
【図９】本発明を実施するための最良の第１の形態の目地プレートの説明図。
【図１０】本発明を実施するための最良の第１の形態の異なる前後方向へ揺れ動いた状態の説明図。
【図１１】本発明を実施するための最良の第１の形態の異なる左右方向へ揺れ動いた状態の説明図。
【図１２】本発明を実施するための第２の形態の平面図。
【図１３】図１２の１３−１３線に沿う断面図。
【図１４】図１２の１４−１４線に沿う断面図。
【図１５】図１２の１５−１５線に沿う断面図。
【図１６】本発明を実施するための第３の形態の平面図。
【図１７】図１６の１７−１７線に沿う断面図。
【図１８】図１６の１８−１８線に沿う断面図。
【図１９】図１６の１９−１９線に沿う断面図。
【図２０】本発明を実施するための第４の形態の平面図。
【図２１】図２０の２１−２１線に沿う断面図。
【図２２】図２０の２２−２２線に沿う断面図。
【図２３】角部目地プレートおよび左右の目地プレートの説明図。
【符号の説明】
【００２７】
１、１Ａ、１Ｂ、１Ｃ：床用目地装置、
２、：目地部、                ３：左の床躯体、
４：右の床躯体、
５：目地プレート支持凹部、        ６：傾斜面、
７：目地プレートスライド支持凹部、
８：ピン、                                        ９：傾斜面、
１０、１０Ａ、１０Ｂ：角部目地プレート、
１１、１１Ａ、１１Ｂ：左の目地プレート、
１２、１２Ａ、１２Ｂ：右の目地プレート、
１３：スプリング、
１４、１４Ａ：目地プレート接続具、
１５、１５Ａ：目地プレート、
１６、１６Ａ：ボルト挿入孔、
１７、１７Ａ：ボルト挿入孔、    １８、１８Ａ：ボルト、
１９：座金、                                                ２０：ナット、
２１：スプリングケース、
２２：角部目地プレート本体、
２３：ピン支持ケース、                ２４：モルタル、
２５：床化粧板、                            ２６、２７：傾斜面、
２８：左の目地プレート本体、
２９：右の目地プレート本体、
３０：目地プレート本体、                        ３１：ヒンジ部材、
３２：カバープレート。
【図１】
0004842902.tif 000002
【図２】
0004842902.tif 000003
【図３】
0004842902.tif 000004
【図４】
0004842902.tif 000005
【図５】
0004842902.tif 000006
【図６】
0004842902.tif 000007
【図７】
0004842902.tif 000008
【図８】
0004842902.tif 000009
【図９】
0004842902.tif 000010
【図１０】
0004842902.tif 000011
【図１１】
0004842902.tif 000012
【図１２】
0004842902.tif 000013
【図１３】
0004842902.tif 000014
【図１４】
0004842902.tif 000015
【図１５】
0004842902.tif 000016
【図１６】
0004842902.tif 000017
【図１７】
0004842902.tif 000018
【図１８】
0004842902.tif 000019
【図１９】
0004842902.tif 000020
【図２０】
0004842902.tif 000021
【図２１】
0004842902.tif 000022
【図２２】
0004842902.tif 000023
【図２３】
0004842902.tif 000024